(57)【要約】      （修正有）【課題】複数種類の泳ぎ形態を選択して使用できることを可能としたルアーを提供する。【解決手段】ルアー本体２の上部側から下向きの後方側に傾斜した傾斜貫通孔形態で設けられた、ライン通し孔４とルアー本体２の前部側から略水平後方向きで第１のライン通し孔４に連通してなる第２のライン通し孔５を備えており、ライン出し口４ａからライン２００を挿入し、ライン出し口３ａから出し、結び目２０１を作ることでルアー１に背向け泳ぎ形態としたり、ライン出し口５ａからライン２００を挿入し、ライン出し口３ａから出し、結び目２０１を作ることでルアー１に前向け泳ぎ形態が出来、ライン２００をライン通し孔４，５に通さずに取り付けリング７にラインを取り付けることで一般的なルアーの使用形態にもなる。【選択図】図２
2017073976.tif 000002
【特許請求の範囲】
【請求項１】
ルアー本体と、
このルアー本体の上部側から下向きの貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体の前部側から後方向きで前記第１のライン通し孔に連通してなる第２のライン通し孔と、とを備えてなることを特徴とするルアー。
【請求項２】
ルアー本体と、
このルアー本体の前部側から後方向きの貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体の上部側から下向きで前記第１のライン通し孔に連通してなる第２のライン通し孔と、とを備えてなることを特徴とするルアー。
【請求項３】
前記第１のライン通し孔または前記第２のライン通し孔から通したラインの先端が当たる、前記第１のライン通し孔または前記第２のライン通し孔の壁面が傾斜面であり、該傾斜面によって前記ラインの前記先端が容易に進行方向を変え進むことができるようにしたことを特徴とする請求項１、２のいずれか１項に記載のルアー。
【請求項４】
ルアー本体と、
このルアー本体の前部側に設けられた、ラインを結びつけるまたは該ラインに取付けられた猿環等を連結するための環部と、
前記ルアー本体の上部側から下向きの貫通孔形態で設けられた、非ループの一本ライン形態のラインは通すが、二本合わせ形態での重ねライおよび前記一本ライン形態のラインの結び目は通さない孔形態の結び目止め孔を有するライン通し孔と、とを備えてなることを特徴とするルアー。
【請求項５】
ルアー本体と、
このルアー本体に貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体に前記第１のライン通し孔とは異なる箇所に該第１のライン通し孔とは非交差形態の貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第２のライン通し孔と、とを備えてなることを特徴とするルアー。
【請求項６】
前記第１のライン通し孔および前記第２のライン通し孔またはいずれか一方が、前記ルアー本体に形成された、前記結び目が収納される貫通孔形態、止り穴形態または溝形態の結び目収納部に連通され、該結び目収納部の形態が収納された前記結び目が容易に回ることができる形態であることを特徴とする請求項５記載のルアー。
【請求項７】
前記請求項１、２、３においては第１のライン通し孔のライン出口が、前記請求項４においてはライン通し孔のライン出口が、前記請求項５、６においては第１のライン通し孔のライン出口および第２のライン通し孔のライン出口またはいずれか一方のライン通し孔のライン出口が、前記ルアー本体の背部に設けられてなることを特徴とする請求項１〜６のいずれか１項に記載のルアー。
【請求項８】
前記ルアー本体に該ルアー本体よりも硬質な部材からなる結び目止め孔形成部材が設けられ、この結び目止め孔形成部材に前記結び目止め孔が形成されてなることを特徴とする請求項１〜７のいずれか１項に記載のルアー。
【発明の詳細な説明】
【技術分野】
【０００１】
本発明は、複数種類の泳ぎ形態を選択可能としたルアーに関する。
【背景技術】
【０００２】
従来、以下に述べるルアーが知られている。
（特許文献１）：ルアーの頭部側（口側部位を含む。）に、ラインを直接縛り取付ける、またはラインを縛り付けた猿環（より戻し）を取付けるライン取付けリング（スプリクトリング）を設けた形態。
（特許文献２）：ライン通し口をルアー本体に頭部側（口側部位を含む。）とした、頭部側から尾側に貫通形態とした、または頭部側から腹側に貫通形態とした横向き貫通孔形態の横向きライン通し孔を設けた形態。
（特許文献３）：ライン取付けリングをルアー本体の背側（上部側）に設けた形態。
【先行技術文献】
【特許文献】
【０００３】
【特許文献１】特開２０１２−０８０８２６号公報
【特許文献２】実開昭６２−１９８９６９号公報
【特許文献３】特開２０１３−２４３９８３号公報
【発明の概要】
【発明が解決しようとする課題】
【０００４】
特許文献１、２の発明は、ルアー本体の前側にラインが位置しているので、ラインの引き操作によるルアーの泳ぎ形態は、引かれるラインに対して常に前側を向けた、一種類のみのライン前向け泳ぎ形態のみであった。
【０００５】
特許文献３の発明は、ルアー本体の背側にラインが位置しているので、ラインの引き操作によるルアーの泳ぎ形態は、引かれるラインに対して常に背側を向けた、一種類のみのライン背向け泳ぎ形態のみあった。
【０００６】
本発明は以上のような従来技術の欠点に鑑み、複数種類の泳ぎ形態を選択して使用できることを可能としたルアーを提供することを目的としている。
【課題を解決するための手段】
【０００７】
本発明は前記目的を達成するために次に述べるような構成となっている。
＜請求項１記載の発明＞
ルアー本体と、
このルアー本体の上部側から下向きの貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体の前部側から後方向きで前記第１のライン通し孔に連通してなる第２のライン通し孔と、とを備えてなることを特徴とするルアーである。
【０００８】
「結び目止め孔を有する第１のライン通し孔」には、第１のライン通し孔全体が結び目止め孔形態であるもの、第１のライン通し孔の一部に結び目止め孔を設けてなる形態を含むものである。
このことは、以下の請求項に記載の発明においても同様である。
【０００９】
＜請求項２記載の発明＞
ルアー本体と、
このルアー本体の前部側から後方向きの貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体の上部側から下向きで前記第１のライン通し孔に連通してなる第２のライン通し孔と、とを備えてなることを特徴とするルアーである。
【００１０】
＜請求項３記載の発明＞
前記第１のライン通し孔または前記第２のライン通し孔から通したラインの先端が当たる、前記第１のライン通し孔または前記第２のライン通し孔の壁面が傾斜面であり、該傾斜面によって前記ラインの前記先端が容易に進行方向を変え進むことができるようにしたことを特徴とする請求項１、２のいずれか１項に記載のルアーである。
【００１１】
＜請求項４記載の発明＞
ルアー本体と、
このルアー本体の前部側に設けられた、ラインを結びつけるまたは該ラインに取付けられた猿環等を連結するための環部と、
前記ルアー本体の上部側から下向きの貫通孔形態で設けられた、非ループの一本ライン形態のラインは通すが、二本合わせ形態での重ねライおよび前記一本ライン形態のラインの結び目は通さない孔形態の結び目止め孔を有するライン通し孔と、とを備えてなることを特徴とするルアーである。
【００１２】
＜請求項５記載の発明＞
ルアー本体と、
このルアー本体に貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体に前記第１のライン通し孔とは異なる箇所に該第１のライン通し孔とは非交差形態の貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第２のライン通し孔と、とを備えてなることを特徴とするルアーである。
【００１３】
＜請求項６記載の発明＞
前記第１のライン通し孔および前記第２のライン通し孔またはいずれか一方が、前記ルアー本体に形成された、前記結び目が収納される貫通孔形態、止り穴形態または溝形態の結び目収納部に連通され、該結び目収納部の形態が収納された前記結び目が容易に回ることができる形態であることを特徴とする請求項５記載のルアー。
【００１４】
＜請求項７記載の発明＞
前記ライン通し孔のうちの一つのライン通し孔のラインが出るライン出口が、前記ルアー本体の背部に設けられてなることを特徴とする請求項１〜６のいずれか１項に記載のルアー。
【００１５】
＜請求項８記載の発明＞
前記ルアー本体に該ルアー本体よりも硬質な部材からなる結び目止め孔形成部材が設けられ、この結び目止め孔形成部材に前記結び目止め孔が形成されてなることを特徴とする請求項１〜７のいずれか１項に記載のルアー。
【発明の効果】
【００１６】
本発明は次に列挙する効果が得られる。
【００１７】
＜請求項１記載の発明の効果＞
ラインを一本ライン形態で第１のライン通し孔から通し、または第２のライン通し孔から通し、結び目止め孔から出た部位に結び目を形成することにより、結び目は結び目止め孔によって止められ抜けない形態となる。
これによって、ルアー本体の前部側にライン出し口を形成している第２のライン通し孔から通した形態では、ラインに引かれ泳ぐルアーの泳ぎ形態は、引かれるラインに対して前側を向けたライン前向け泳ぎ形態となる。また、ルアー本体の上部側にライン出し口を形成している第１のライン通し孔から通した形態では、ラインに引かれ泳ぐルアーの泳ぎ形態は、引かれるラインに対して背を向けた背向け泳ぎ形態、または頭部上側を向けたライン頭部上側向け泳ぎ形態となる。
すなわち、本発明は、ラインを第１のライン通し孔に通し結び目を形成する、ラインを第２のライン通し孔に通し結び目を形成するという簡単な操作によって、ルアーの異なる種類の泳ぎ形態を選択できるという効果を奏する。
【００１８】
また、結び目から延びたラインに釣り針を取付けた使用形態も実現する。よって、異なる種類の泳ぎ形態の選択と釣り針の取り付け方の選択という組み合わせ形態が可能である。よって、従来では成し得ない多様な使用形態を可能としたルアーを実現している。
【００１９】
＜請求項２記載の発明の効果＞
このような形態としても、請求項１記載の発明と同様な効果を奏する。
【００２０】
＜請求項３記載の発明の効果＞
請求項１、２のいずれか１項に記載の発明と同様な効果を奏するとともに、ライン通し孔に通し壁に当たったラインは、当った壁面が傾斜面であるので、そこで突っかかることなく、スムーズに向きを変え押し進めて容易に素早く外に出すことができるという効果を奏する。
【００２１】
＜請求項４記載の発明の効果＞
ラインを一本ライン形態でライン通し孔から通し、出た部位に結び目を形成することにより、ラインは結び目止め孔によって止められ抜けない形態となる。
これによって、ルアー本体の前部側に設けた環部にラインを取付けた形態では、ラインに引かれ泳ぐルアーの泳ぎ形態は、引かれるラインに対して前側を向けたライン前向け泳ぎ形態となり、ルアー本体の上部側にライン出し口を形成しているライン通し孔から通した形態では、ラインに引かれ泳ぐルアーの泳ぎ形態は、引かれるラインに対して背を向けた背向け泳ぎ形態、または頭部上側を向けたライン頭部上側向け泳ぎ形態となる。
すなわち、本発明は、ラインをライン通し孔に通し結び目を形成する、ラインを環部に取付けるという簡単な操作によって、ルアーの異なる種類の泳ぎ形態を選択できるという効果を奏する。
また、結び目から延びたラインに釣り針を取付けた使用形態も実現するものである。
【００２２】
＜請求項５記載の発明の効果＞
ラインを一本ライン形態で第１のライン通し孔から通し、または第２のライン通し孔から通し、出た部位に結び目を形成することにより、ラインは結び目止め孔によって止められ抜けない形態となる。
これによって、第１のライン通し孔から出ているラインによるルアーの第１の泳ぎ形態と、第１のライン通し孔のライン出口とは異なる箇所にある第２のライン通し孔のライン出口から出されたラインによるルアーの第２の泳ぎ形態とは、当然異なる泳ぎ形態になる。
すなわち、本発明は、ラインを第１のライン通し孔に通し結び目を形成する、ラインを第２のライン通し孔に通し結び目を形成するという簡単な操作によって、ルアーの異なる泳ぎ形態を選択できるという効果を奏する。
【００２３】
また、ルアー本体に釣り針が取付けられた形態においては、結び目は結び目止め孔によって止められるので、魚の負荷はルアーにかかる形態となるものである。
また、結び目から延びたラインに釣り針を取付けた使用形態も実現するものである。よって、異なる種類の泳ぎ形態の選択と釣り針の取り付け方の選択という組み合わせ形態が可能である。よって、従来では成し得ない多様な使用形態を可能としたルアーを実現している。
【００２４】
＜請求項６記載の発明の効果＞
このような構成としても請求項５記載の発明と同様な効果を奏するとともに、結び目収納部に結び目を収納隠すことができるという効果を奏する。
【００２５】
＜請求項７記載の発明の効果＞
請求項１〜６のいずれか１項に記載の発明と同様な効果を奏するとともに、携帯ストラップのコードを非ループの１本コード形態で背部のライン出し口から通し、結び目を形成することで、ルアー飾りの携帯ストラップを簡単に作成することを可能にしているという効果を奏する。
【００２６】
＜請求項８記載の発明の効果＞
請求項１〜７のいずれか１項に記載の発明と同様な効果を奏するとともに、結び目止め孔形成部材に前記結び目止め孔によって、結び目が抜けない形態を実現するという効果を奏する。
また、強く引かれる結び目が食い込むような軟らかい素材をルアー本体に使用できるという効果を奏する。
【００２７】
特に結び目止め孔形成部材が真鍮製部材、ステンレス製部材、鉛製部材などの比重の重い金属製部材である場合は、錘として機能し、ルアーを遠くに投げるのに好適なものとすることができる。
【図面の簡単な説明】
【００２８】
【図１】本発明の実施例１の側面図および断面図。
【図２】本発明の実施例１の使用形態例を示す断面図。
【図３】本発明の実施例１の使用形態例を示す断面図。
【図４】本発明の実施例１の携帯ストラップとした使用形態例を示す断面図。
【図５】本発明の実施例２の使用形態例図。
【図６】本発明の実施例３の断面図。
【図７】本発明の実施例４を示す断面図および使用状態例を示す断面図。
【図８】本発明の実施例５の断面図。
【図９】本発明の実施例６の断面図。
【図１０】本発明の実施例７の使用形態例を示す断面図。
【図１１】本発明の実施例８の断面図。
【図１２】本発明の実施例９の使用状態例を示す断面図。
【図１３】本発明の実施例１０を示す断面図および使用状態例を示す断面図。
【図１４】本発明の実施例１０の使用状態例を示す断面図。
【図１５】本発明の実施例１１の断面図。
【図１６】本発明の実施例１２の断面図。
【図１７】本発明の実施例１２の携帯ストラップとした使用携帯例図。
【図１８】本発明の実施例１３の断面図。
【発明を実施するための形態】
【００２９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００３０】
図１〜図４に示す本発明の実施例１において、ルアー１は次に述べるような構成となっている。
硬質性合成樹脂製部材、金属製部材、木製部材などの硬質性部材からなるルアー本体２と、
このルアー本体２の上部側から下向きの後方側に傾斜した傾斜貫通孔形態で設けられた、非ループの一本ライン形態のライン２００（道糸）は通すが、二本合わせ形態での重ねライおよび前記一本ライン形態のライン２００の結び目２０１は通さない形態の結び目止め孔３を下方側に有する第１のライン通し孔４と、
ルアー本体２の前部側から略水平後方向きで第１のライン通し孔４に連通してなる第２のライン通し孔５と、とを備えてなる構成となっている。
【００３１】
傾斜形態の第１のライン通し孔４と略水平な第２のライン通し孔５との連通形態によって、第２のライン通し孔５から通したライン２００の先端が当たる、第１のライン通し孔４の壁面が傾斜面６であり、該傾斜面６によってライン２００の先端が容易に進行方向を下方に変え進ませることができる形態となっている。
【００３２】
第２のライン通し孔５の孔径は第１のライン通し孔４の孔径よりも大きな孔径となっている。
第１のライン通し孔４はその全長の孔径が結び目止め孔３の孔径と同じとする孔形態もよい。
ライン出し口５ａは口縁を湾曲形状にしていて、ライン２００が押し付けられこすられた時の負荷を分散するようにしている。ライン出し口４ａ、ライン出し口３ａについても同様な湾曲口形状にするのがよい。
【００３３】
ルアー本体２の前部にはライン２００が取付けられた猿環を係合する、あるいはライン２００を結びつける取付けリング７が設けられている。
符号１０はリップ１０である。
ルアー本体２の胴部表面には使用指定ラインの太さを示す号数の数字（ここでは「６」）が表記されている。
【００３４】
ルアー本体２の腹部の前方と後方にそれぞれ、リング取付け部８ａ、８ｂが設けられ、該リング取付け部８ａ、８ｂには釣り針２０２ａ、２０２ｂを着脱形態で取付けるためのスプリットリング９ａ、９ｂが設けられている。
【００３５】
胴部に表記されている指定の６号のライン２００を一本ライン形態で第１のライン通し孔４のライン出し口４ａから通し、または第２のライン通し孔５のライン出し口５ａから通し、結び目止め孔３のライン出し口３ａから出た部位に結び目２０１を形成することにより、結び目２０１は結び目止め孔３によって止められ抜けない形態となる。
これによって、ライン２００をルアー本体２の前部側にライン出し口５ａを形成している第２のライン通し孔５から通した形態（＝出した形態）では、ライン２００に引かれ泳ぐルアー１の泳ぎ形態は、引かれるライン２００に対して前側を向けたライン前向け泳ぎ形態となり、ルアー本体２の上部側にライン出し口４ａを形成している第１のライン通し孔４から通した形態では、ライン２００に引かれ泳ぐルアー１の泳ぎ形態は、引かれるライン２００に対して背を向けた背向け泳ぎ形態、または頭部上側を向けたライン頭部上側向け泳ぎ形態となる。
すなわち、ライン２００を第１のライン通し孔４に通し結び目２０１を形成する、ライン２００を第２のライン通し孔５に通しライン出し口３ａから出し、その出たライン部位に一回結びの結び目２０１を形成するという簡単な操作によって、ルアー１の異なる泳ぎ形態を選択できる。
【００３６】
また、ルアー本体２に釣り針２０２ａ、２０２ｂが取付けられた形態においては、魚が食付きルアー１が強く引かれた場合では、結び目２０１が結び目止め孔３によって止められるので、魚の引き負荷はルアー１にかかる形態となるものであり、そのような状態にでも、結び目２０１は結び目止め孔３によって止められ抜けることがない。
【００３７】
また、結び目３から下方に延びるライン２００部位に釣り針を付ける使用形態を可能としている。この使用形態にあっては、スプリットリング９ａ、９ｂに釣り針を付けないでの使用も可能とするものである。
【００３８】
図２の図（ａ）〜図（ｃ）、図３の図（ｄ）〜（ｇ）を参照しながらルアー１の使用形態例について説明する。
（１）図２の図（ａ）
ライン出し口４ａからライン２００を挿入し、ライン出し口３ａから出し、結び目２０１を作る。
スプリットリング９ａ、９ｂには釣り針２０２ａ、２０２ｂが取り付けられている。
このライン挿入形態では、ルアー１は上方に引かれるライン２００に対して背を向けた背向け姿勢で引かれて行く背向け泳ぎ形態となる。
【００３９】
（２）図２の図（ｂ）
ライン出し口５ａからライン２００を挿入し、推し進められたライン２００の先端は、傾斜面６に当たり、容易に傾斜方向に向きを変えて進ませることができ、、ライン出し口３ａから出し、結び目２０１を作る。
このライン挿入形態では、ルアー１は前方に引かれるライン２００に対して前を向けた前向き姿勢で引かれて行く前向け泳ぎ形態となる。
【００４０】
（３）図２の図（ｃ）
取付けリング７にライン２００を縛り付けた、一般的なルアーの使用形態である。
ライン２００に猿環を設け、該猿環を取付けリング７に取付ける使用形態もある。
【００４１】
（４）図２の図（ｄ）
取付けリング７にライン２００よりも高強度のライン２００ｃ（一般的にはライン２００より太い）を縛り付け、第１のライン通し孔４にライン２００ｂを通し、ライン出し口４ａから出ているライン部位に結び目２０１ａを作り、ライン出し口３ａから出ているライン部位に釣り針２０２を取付けた使用形態としている。
ここでは、釣り針２０２ａ、２０２ｂを取付けない使用形態としているが、いずれかまたは両方の釣り針を付けた使用形態としてもよい。
【００４２】
（５）図３の図（ｅ）
竿からのライン２００に結び目２０１ａを作り、該結び目２０１ａから延びるライン部位をライン出し口４ａから入れ第１のライン通し孔４に通し、ライン出し口３ａから出た部位に結び目２０１を作り、釣り針２０２を取付けている。
釣り針３３ａは設けない形態としている。
【００４３】
（６）図３の図（ｆ）
竿からのライン２００に結び目２０１ａを作り、該結び目２０１ａから延びるライン部位をライン出し口５ａから入れ第２のライン通し孔５に通し、ライン出し口３ａから出た部位に結び目２０１を作り、釣り針２０２を取付けている。
釣り針３３ｂは設けない形態としている。
【００４４】
（６）図３の図（ｇ）
ライン出し口３ａから出たライン部分に錘２０６を取付けている。
これによって、ルアーを遠くまで投げることが可能となる。また、泳ぎスタイルにも影響を与える。
錘２０６には、結び目止め孔３と同様の孔径の結び目止め孔２０６ｂが設けられている。
錘２０６は、ライン出し口５ａ側に設けることもでき、ライン出し口３ａおよびライン出し口５ａに設けることもできる。
錘の形態は球体に限定されるものではなく、円盤形態、円柱形態、四角形、五角形以上の多角形、楕円体など多様な形態がある。
【００４５】
ルアーの錘であって、錘本体と、この錘本体に設けられた、非ループの一本ライン形態のラインは通すが、二本合わせ形態での重ねライおよび前記一本ライン形態のラインの結び目は通さない形態の結び目止め孔と、とを備えたことを特徴とするルアー用錘。
【００４６】
図４において、ルアー１を携帯ストラップの飾りとしている使用形態を示している。
非ループの一本コード形態で結び目止め孔３は通るがその結び目２０３ａは通らない太さのコード２０３を、第１のライン通し孔４に通し、ライン出し口３ａから出ているコード部分委結び目２０３ａを作り、ライン出し口４ａから出ているコード部分を長くして、その先端にストッパー２０４を付けてなる携帯ストラップ２０５を形成している。
コードにはライン２００も含まれるものであることは言うまでもない。
また、ストッパー２０４を設けない形態、ストッパー２０４に変えて他のルアーを設けた形態とするのがよい。
【００４７】
以上述べたように、ルアー１は、ライン２００の取り付け部位ないし引き出し部位（以下「ライン取り付け部位」という。）が、取付けリング７、ライン出し口５ａ、ライン出し口４ａのそれぞれ異なる位置となる３か所のライン取り付け部位を有する形態である。
この３か所のライン取り付け部位の選択によって、ルアー１のルアー操作による泳ぎ形態も３種類となり、それを自由に選択できるものである。
また、釣り針の付け形態も容易に変えることが可能である。
よって、これらの組み合わせによって、多様な使用形態を可能としたルアーを実現している。
また、背部にライン出し口４ａを設けているので、そこからのコードの出しによって、ルアーを横向き形態に吊り下げることができ、ルアーが横向きで吊られた携帯ストラップを形成できる。
【００４８】
第２のライン通し孔５を設けない、第１のライン通し孔４と取付けリング７を備えた形態のルアーとするのもよい。
【実施例２】
【００４９】
図５に示す本発明の実施例２において、前記実施例１と主に異なる点は、第１のライン通し孔４を第１のライン通し孔１３にしたルアー１４を形成した点にある。
第１のライン通し孔１３は、第２のライン通し孔５と略同孔径で該第２のライン通し孔５と連通するライン案内部１５と、結び目止め孔３とからなっている。
ライン案孔１５と結び目止め孔３の間には傾斜形態の、ラインを結び目止め孔３に当たり無くスムーズに誘い込むための誘い込み部１６が形成されている。
符号１３ａはライン出し口１３ａである。
結び目止め孔３よりも孔径の大きい第１のライン通し孔１３と第２のライン通し孔５との連通か所に傾斜面６が形成されているので、ライン２００の曲がり動作許容範囲が広くなり、ライン２００の進行の向きを変えることが容易になる。
【実施例３】
【００５０】
図６に示す本発明の実施例３において、前記実施例１と主に異なる点は、第１のライン通し孔を第１のライン通し孔１９としてなるルアー２０を形成した点にある。
第１のライン通し孔１９は、第２のライン通し孔５が連通する該第２のライン通し孔５と同じ孔径のライン案内孔２１と、このライン案内孔２１と連絡する、非ループの一本形態のライン２００は通すが重ね形態のライン２００および非ループ一本形態のライン２００に形成した結び目は通さない孔形態の結び目止め孔２２とからなっている。
【００５１】
結び目止め孔２２は、ルアー本体２とは別体（別部材）である結び目止め孔形成部材２３に形成されている。
結び目止め孔２２とライン案内孔２１の間には、結び目止め孔形成部材２３側に開口をライン案内孔２１よりも大径とし、かつ、なだらかなテーパーを形成して結び目止め孔２２に連絡する誘い込み部２４が形成されている。
符号１９ａはライン出し口１９ａである。符号２２ａはライン出し口２２ａである。
結び目止め孔形成部材２３は、ルアー本体２よりも硬質な金属製部材、硬質性合成樹脂製部材などからなっていて、強い引きによっても結び目がライン出し口２２ａ内に潜り込むことがない。
また、リング取付け部８ａ、８ｂは設けていない。よって、ラインのライン出し口２２ａから出ている部位に釣針を付けた使用形態のみとなる。
【００５２】
特に結び目止め孔形成部材２３が真鍮製部材、ステンレス製部材、鉛製部材などの比重の重い金属製部材である場合は、錘として機能し、ルアーを遠くに投げるのに好適なものとなる。
【実施例４】
【００５３】
図７に示す本発明の実施例４において、ルアー２９は次に述べるような構成となっている。
ルアー本体３０と、
このルアー本体３０の前部側から後方向きの貫通孔形態で設けられた、非ループの一本ライン形態のライン２００は通すが、二本合わせ形態での重ねライおよび前記一本ライン形態のラインの結び目２０１は通さない形態の結び目止め孔３１を有する第１のライン通し孔３２と、
ルアー本体３０の上部側から下向きで第１のライン通し孔３２に傾斜形態で連通してなる第２のライン通し孔３３と、とを備えている。
第２のライン通し孔３３から挿入されたライン２００の先端が突き当たる第１のライン通し孔３２の面部位が傾斜面６となる。
符号３１ａはライン出し口３１ａ、符号３２ａはライン出し口３２ａ、符号３３ａはライン出し口３３ａである。
他の部位は実施例１と同様であるので説明を省略する。
【実施例５】
【００５４】
図８に示す本発明の実施例５において、前記実施例４と主に異なる点は、結び目止め孔を金属製部材からなる結び目止め孔形成部材３５に設けた結び目止め孔３６とし、第１のライン通し孔を第１のライン通し孔３８としたルアー３９を形成した点にある。符号３６ａはライン出し口３６ａ、符号３８ａはライン出し口３８ａである。
結び目止め孔形成部材３５は、ルアー３９を遠投するための、およびルアー３９を水深の深い位置で引き泳がせ操作するための錘として機能する。
【実施例６】
【００５５】
図９に示す本発明の実施例６において、前記実施例１と主に異なる点は、ルアー本体をルアー本体３０とし、第１のライン通し孔４を背側から腹側に向かう形態とし、第２のライン通し孔５を下向き傾斜形態とし、第１のライン通し孔４の下部に結び目収納凹み部４２を設け、結び目止め孔を結び目止め孔４３とし、結び目収納凹み４２内に結び目止め孔４３を設けた硬質製部材の結び目止め孔形成部材４４を設け、第１のライン通し孔４の後方に傾斜した第３のライン通し孔４５を設け、第３のライン通し孔４５の後方に該第３のライン通し孔４５とは反対向きに傾斜形態とした第４のライン通し孔４６を設けてなるルアー４７を形成した点にある。
符号４３ａはライン出し口４３ａ、符号４５ａはライン出し口４５ａ、符号４５ｂはライン出し口４５ｂ、符号４６ａはライン出し口４６ａ、符号４６ｂはライン出し口４６ｂである。
【００５６】
第３のライン通し孔４５、第４のライン通し孔４６には通し、作成した結び目で抜けなくしたライン２００に釣針や錘を付けた使用形態とすることができる。
【実施例７】
【００５７】
図１０に示す本発明の実施例７においてルアー４９は、ルアー本体２と、このルアー本体２の前部に設けられた取付けリング７と、ルアー本体２の前方から後方に貫通孔形態で設けられた、非ループの一本ライン形態のライン２００は通すが、二本合わせ形態での重ねライおよび前記一本ライン形態のライン２００の結び目２０１、２０１ｂは通さない形態の結び目止め孔形態であるライン通し孔５０と、ルアー本体２の後部に設けられたライン通し孔５０に連通された結び目を収納する凹み形態（溝形態ままた穴形態）の結び目収納部５１とからなっている。
ルアー本体２の腹部にリング取付け部８ａ、８ｂ、８ｃを設け、それにスプリットリング９ａ、９ｂ、９ｃを設けていて、釣り針を着脱できるようにしている。
【実施例８】
【００５８】
図１１に示す本発明の実施例８の上図において、前記実施例４と主に異なる点は、ルアー本体をルアー本体２とし、第１のライン通し孔３２の下方に該第１のライン通し孔３２と平行に設けられた第３のライン通し孔５５を設けてなるルアー５６を形成した点にある。
【００５９】
図１１に示す本発明の実施例８の下図において、前記ルアー５６と主に異なる点は、第２のライン通し孔３３の前方に該第２のライン通し孔３３と同様な孔形態の第４のライン通し孔５７を設けてなるルアー５８を形成した点にある。
符号６ａは傾斜面であり、傾斜面６と同様な機能である。
【実施例９】
【００６０】
図１２に示す本発明の実施例９において、ルアー６０は次に述べるような構成となっている。
ルアー本体３０と、このルアー本体３０の上部から下部に向けて貫通形態で設けられた、非ループの一本ライン形態のラインは通すが、二本合わせ形態での重ねライおよび前記一本ライン形態のラインの結び目は通さない形態の結び目止め孔６１を有するライン通し孔６２と、とを備えた形態となっている。
ライン通し孔６２の全体の孔径は結び目止め孔６１の孔径と同じとなっている。
符号６１ａはライン出し口６１ａ、符号６２ａはライン出し口６２ａである。
【実施例１０】
【００６１】
図１３、１４に示す本発明の実施例１０において、ルアー６６は次に述べるような構成となっている。
ルアー本体３０と、このルアー本体３０の下部に開口６７ａとした結び目収納部を兼ねた傾斜止り穴形態の凹み部６７と、ルアー本体の上部から凹み部６７に貫通された非ループの一本ライン形態のラインは通すが、二本合わせ形態での重ねライおよび前記一本ライン形態のラインの結び目は通さない形態の結び目止め孔６８を有する第１のライン通し孔６９と、
ルアー本体の前部から凹み部６７に貫通された非ループの一本ライン形態のラインは通すが、二本合わせ形態での重ねライおよび前記一本ライン形態のラインの結び目は通さない形態の結び目止め孔７０を有する第２のライン通し孔７１と、とを備えた形態である。
符号６８ａはライン出し口６８ａ、符号６９ａはライン出し口６９ａ、符号７０ａはライン出し口７０ａ、符号７１ａはライン出し口７１ａ、符号２０１ｂは結び目２０１ｂである。
【００６２】
図１４において、ライン出し口７１ａからライン２００が入れられ、開口６７ａの外に出された部位に結び目２０１ｂを作り、結び目２０１ｂから延びている部位を錘２０６の結び目止め孔２０６ｂに通し、結び目２０１を作り、ライン２００をライン出し口７１ａ側から引いて錘２０６を凹み部６７内に引き込む。
錘２０６は凹み部６７の内壁面に当たり押し込みは見込み形態で収納される。
【００６３】
凹み部は止り穴形態に限らず溝形態とするのもよい。
【実施例１１】
【００６４】
図１５に示す本発明の実施例１１において、前記実施例１０と主に異なる点は、凹み部を垂直止り穴形態の凹み部７４としてなるルアー７５を形成した点にある。
符号７４ａはライン出し口７４ａである。
【実施例１２】
【００６５】
図１６、図１７に示す本発明の実施例１２において、前記実施例１０と主に異なる点は、凹み部６７に変えて貫通した傾斜横穴形態の結び目収納孔７８を設けたルアー７９を形成した点にある。
結び目収納孔７８はライン出し口７１ａ、ライン出し口６９ａのいずれの孔に対しても傾斜孔である。よって、ライン出し口７１ａないしライン出し口６９ａから挿入したライン２００の先端は、結び目収納孔７８の傾斜対抗面にあたり、該傾斜対抗面が傾斜しているのでライン２００の先端はスムーズに下り傾斜側に曲げられ、結び目収納孔７８から外にスムーズに出る。
結び目収納孔７８の大きさは、収納された結び目２０１およびライン２００は該ライン２００が捩れると該捩れを解消するように回る大きさである。
【００６６】
図１７において、ストッパー２０４を取付けたコード２０３を第１のライン通し孔６９に通し結び目収納孔７８から外に出し、結び目２０３ａを形成し、余計なコード部分を切除して、結び目２０３ａを結び目収納孔７８内に引き込み携帯ストラップ２０５ａを形成している。
【実施例１３】
【００６７】
図１８に示す本発明の実施例１３において、前記実施例５と主に異なる点は、結び目止め孔形成部材を結び目止め孔形成部材８０としたルアー８１を形成した点にある。
金属製部材や硬質性樹脂部材などの硬質部材からなる結び目止め孔形成部材８０は、ルアー本体３０を前後に貫く硬質部材本体８２と、この硬質部材本体８２の上部に突出形態で設けられた、その上部をルアー本体３０の背部に露出した上部突出部８３と、硬質部材本体８２の前側下部に突出形態で設けられた、リング取付け部８ａを有する前下突出部８４ａと、硬質部材本体８２の後側下部に突出形態で設けられた、リング取付け部８ｂを有する後下突出部８４ａと、硬質部材本体８２を前後に貫通形態で設けられた第１のライン通し孔３８と、上部突出部８３に設けられた、第１のライン通し孔３８と連通してなる傾斜孔形態の第２のライン通し孔３３と、とからなっている。
【００６８】
結び目止め孔形成部材８０が強靭で結び目を潜り込ませない硬質部材である。
結び目止め孔形成部材８０はルアーの骨組みないし骨格となっているので、ルアー本体をシリコンゴム製部材などのゴム製部材、塩化ビニールなどの柔軟性の合成樹脂製部材などの柔軟性部材することを可能するものである。
【産業上の利用可能性】
【００６９】
本発明は、釣り具を製造、販売する産業で利用される。
【符号の説明】
【００７０】
１：ルアー、
２：ルアー本体、
３：結び目止め孔、
３ａ：ライン出し口、
４：第１のライン通し孔、
４ａ：ライン出し口、
５：第２のライン通し孔、
５ａ：ライン出し口、
６、６ａ：傾斜面、
７：取付けリング、
８ａ、８ｂ：リング取付け部、
９ａ、９ｂ：スプリットリング、
１０：リップ、
１３：第１のライン通し孔、
１３ａ：ライン出し口、
１４：ルアー、
１５：ライン案孔、
１６：誘い込み部、
１９：第１のライン通し孔、
１９ａ：ライン出し口、
２０：ルアー、
２１：ライン案内孔、
２２：結び目止め孔、
２２ａ：ライン出し口、
２３：結び目止め孔形成部材、
２４：誘い込み部、
２９：ルアー、
３０：ルアー本体、
３１：結び目止め孔、
３１ａ：ライン出し口、
３２：第１のライン通し孔、
３２ａ：ライン出し口、
３３：第２のライン通し孔、
３３ａ：ライン出し口、
３５：結び目止め孔形成部材、
３６：結び目止め孔、
３６ａ：ライン出し口、
３８：第１のライン通し孔、
３８ａ：ライン出し口、
３９：ルアー、
４２：結び目収納凹み部、
４３：結び目止め孔、
４３ａ：ライン出し口、
４４：結び目止め孔形成部材、
４５：第３のライン通し孔、
４５ａ：ライン出し口、
４５ｂ：ライン出し口、
４６：第４のライン通し孔、
４６ａ：ライン出し口、
４６ｂ：ライン出し口、
４９：ルアー、
５０：イン通し孔、
５１：結び目収納部、
５５：第３のライン通し孔、
５６：ルアー、
５７：第４のライン通し孔５、
５８：ルアー、
６０：ルアー、
６１：結び目止め孔、
６１ａ：ライン出し口、
６２：ライン通し孔、
６２ａ：ライン出し口、
６６：ルアー、
６７：凹み部、
６７ａ：開口、
６８：結び目止め孔、
６８ａ：ライン出し口、
６９：第１のライン通し孔、
６９ａ：ライン出し口、
７０：結び目止め孔、
７０ａ：ライン出し口、
７１：第２のライン通し孔、
７１ａ：ライン出し口、
７４：凹み部、
７４ａ：ライン出し口、
７５：ルアー、
７８：結び目収納孔、
７９：ルアー、
８０：結び目止め孔形成部材、
８１：ルアー。
２００、２００ａ、２００ｂ：ライン、
２００ｃ：ライン、
２０１、２０１ａ、２０１ｂ：結び目、
２０２、２０２ａ、２０２ｂ、２０２ｃ：釣り針、
２０３：コード、
２０３ａ：結び目、
２０４：ストッパー、
２０５、２０５ａ：携帯ストラップ、
２０６：錘、
２０６ｂ：結び目止め孔。
【図１】
2017073976.tif 000003
【図２】
2017073976.tif 000004
【図３】
2017073976.tif 000005
【図４】
2017073976.tif 000006
【図５】
2017073976.tif 000007
【図６】
2017073976.tif 000008
【図７】
2017073976.tif 000009
【図８】
2017073976.tif 000010
【図９】
2017073976.tif 000011
【図１０】
2017073976.tif 000012
【図１１】
2017073976.tif 000013
【図１２】
2017073976.tif 000014
【図１３】
2017073976.tif 000015
【図１４】
2017073976.tif 000016
【図１５】
2017073976.tif 000017
【図１６】
2017073976.tif 000018
【図１７】
2017073976.tif 000019
【図１８】
2017073976.tif 000020
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
ルア一本体と、
このルア一本体の上部側から下向きの貫通孔形態で設けられた、非ル−プの一本形態のラインは通すが、二本合わせ形態のラインおよび前記一本形態のラインの結び目は通さない形態の結び目止め孔（３）を有する、前記ルア一本体とは別体である結び目止め孔形成部材（２３）、（４４）に形成された結び目止め孔（２２）、（４３ａ）が連通された又は孔全体が結び目止め孔である第１のライン通し孔（４）、（１３）、（１９）と、
前記ルア一本体の前部側から後方向きで前記第１のライン通し孔（４）、（１３）、（１９）に非貫通形態で連通してなる第２のライン通し孔（５）と、とを備えてなることを特徴とするルア一。
【請求項２】
ルア一本体と、
このルア一本体の前部側から後方向きの貫通孔形態で設けられた、非ル−プの一本形態のラインは通すが、二本合わせ形態のラインおよび前記一本形態のラインの結び目は通さない形態の結び目止め孔（３）を有する、前記ルア一本体とは別体である結び目止め孔形成部材（２３）、（４４）に形成された結び目止め孔（２２）、（４３ａ）が連通された又は孔全体が結び目止め孔である第１のライン通し孔（３２）、（３８）と、
前記ルア一本体の上部側から下向きで前記第１のライン通し孔（３２）、（３８）に非貫通形態で連通してなる第２のライン通し孔（３３）と、とを備えてなることを特徴とするルア一。
【請求項３】
前記第１のライン通し孔（４）、（１３）、（１９）、（３２）、（３８）または前記第２のライン通し孔（５）、（３３）から通したラインの先端が当たる、前記第１のライン通し孔（４）、（１３）、（１９）、（３２）、（３８）または前記第２のライン通し孔（５）、（３３）の壁面が傾斜面であり、該傾斜面によって前記ラインの前記先端が容易に進行方向を変え進むことができるようにしたことを特徴とする請求項１、２のいずれか１項に記載のルア一。
【請求項４】
前記第２のライン通し孔（３３）のライン出し口（３３ａ）、が前記ルア一本体の背部に設けられてなるとともに、
前記ライン出し口（３３ａ）から出たラインが上方に引かれる状態では、前記ルアー本体は該ラインに対して背を向けた姿勢となることを特徴とする請求項２、３のいずれか１項に記載のルア一。
【請求項５】
第１のライン通し孔（４）、（１３）、（１９）のライン出し口（４ａ）、（１３ａ）、（１９ａ）が前記ルア一本体の背部に設けられてなるとともに、
前記ライン出し口（４ａ）、（１３ａ）、（１９ａ）から出たラインが上方に引かれる状態では、前記ルアー本体は該ラインに対して背を向けた姿勢となることを特徴とする請求項１、３のいずれか１項に記載のルアー。
【請求項６】
前記ルア一本体に該ルア一本体よりも硬質な部材からなる結び目止め孔形成部材が設けられ、この結び目止め孔形成部材に前記結び目止め孔が形成されてなることを特徴とする請求項１〜５のいずれか１項に記載のルア一。
【手続補正２】
【補正対象書類名】明細書
【補正対象項目名】全文
【補正方法】変更
【補正の内容】
【発明の詳細な説明】
【技術分野】
【０００１】
本発明は、複数種類の泳ぎ形態を選択可能としたルアーに関する。
【背景技術】
【０００２】
従来、以下に述べるルアーが知られている。
（特許文献１）：ルアーの頭部側（口側部位を含む。）に、ラインを直接縛り取付ける、またはラインを縛り付けた猿環（より戻し）を取付けるライン取付けリング（スプリクトリング）を設けた形態。
（特許文献２）：ライン通し口をルアー本体に頭部側（口側部位を含む。）とした、頭部側から尾側に貫通形態とした、または頭部側から腹側に貫通形態とした横向き貫通孔形態の横向きライン通し孔を設けた形態。
（特許文献３）：ライン取付けリングをルアー本体の背側（上部側）に設けた形態。
【先行技術文献】
【特許文献】
【０００３】
【特許文献１】特開２０１２−０８０８２６号公報
【特許文献２】実開昭６２−１９８９６９号公報
【特許文献３】特開２０１３−２４３９８３号公報
【発明の概要】
【発明が解決しようとする課題】
【０００４】
特許文献１、２の発明は、ルアー本体の前側にラインが位置しているので、ラインの引き操作によるルアーの泳ぎ形態は、引かれるラインに対して常に前側を向けた、一種類のみのライン前向け泳ぎ形態のみであった。
【０００５】
特許文献３の発明は、ルアー本体の背側にラインが位置しているので、ラインの引き操作によるルアーの泳ぎ形態は、引かれるラインに対して常に背側を向けた、一種類のみのライン背向け泳ぎ形態のみあった。
【０００６】
本発明は以上のような従来技術の欠点に鑑み、複数種類の泳ぎ形態を選択して使用できることを可能としたルアーを提供することを目的としている。
【課題を解決するための手段】
【０００７】
本発明は前記目的を達成するために次に述べるような構成となっている。
＜請求項１記載の発明＞
ルア一本体と、
このルア一本体の上部側から下向きの貫通孔形態で設けられた、非ル−プの一本形態のラインは通すが、二本合わせ形態のラインおよび前記一本形態のラインの結び目は通さない形態の結び目止め孔（３）を有する、前記ルア一本体とは別体である結び目止め孔形成部材（２３）、（４４）に形成された結び目止め孔（２２）、（４３ａ）が連通された又は孔全体が結び目止め孔である第１のライン通し孔（４）、（１３）、（１９）と、
前記ルア一本体の前部側から後方向きで前記第１のライン通し孔（４）、（１３）、（１９）に非貫通形態で連通してなる第２のライン通し孔（５）と、とを備えてなることを特徴とするルア一である。
【０００８】
「結び目止め孔を有する第１のライン通し孔」には、第１のライン通し孔全体が結び目止め孔形態であるもの、第１のライン通し孔の一部に結び目止め孔を設けてなる形態を含むものである。
このことは、以下の請求項に記載の発明においても同様である。
【０００９】
＜請求項２記載の発明＞
ルア一本体と、
このルア一本体の前部側から後方向きの貫通孔形態で設けられた、非ル−プの一本形態のラインは通すが、二本合わせ形態のラインおよび前記一本形態のラインの結び目は通さない形態の結び目止め孔（３）を有する、前記ルア一本体とは別体である結び目止め孔形成部材（２３）、（４４）に形成された結び目止め孔（２２）、（４３ａ）が連通された又は孔全体が結び目止め孔である第１のライン通し孔（３２）、（３８）と、
前記ルア一本体の上部側から下向きで前記第１のライン通し孔（３２）、（３８）に非貫通形態で連通してなる第２のライン通し孔（３３）と、とを備えてなることを特徴とするルア一である。
【００１０】
＜請求項３記載の発明＞
前記第１のライン通し孔（４）、（１３）、（１９）、（３２）、（３８）または前記第２のライン通し孔（５）、（３３）から通したラインの先端が当たる、前記第１のライン通し孔（４）、（１３）、（１９）、（３２）、（３８）または前記第２のライン通し孔（５）、（３３）の壁面が傾斜面であり、該傾斜面によって前記ラインの前記先端が容易に進行方向を変え進むことができるようにしたことを特徴とする請求項１、２のいずれか１項に記載のルア一である。
【００１１】
＜請求項４記載の発明＞
前記第２のライン通し孔（３３）のライン出し口（３３ａ）、が前記ルア一本体の背部に設けられてなるとともに、
前記ライン出し口（３３ａ）から出たラインが上方に引かれる状態では、前記ルアー本体は該ラインに対して背を向けた姿勢となることを特徴とする請求項２、３のいずれか１項に記載のルア一である。
【００１２】
【００１３】
【００１４】
＜請求項５記載の発明＞
第１のライン通し孔（４）、（１３）、（１９）のライン出し口（４ａ）、（１３ａ）、（１９ａ）が前記ルア一本体の背部に設けられてなるとともに、
前記ライン出し口（４ａ）、（１３ａ）、（１９ａ）から出たラインが上方に引かれる状態では、前記ルアー本体は該ラインに対して背を向けた姿勢となることを特徴とする請求項１、３のいずれか１項に記載のルアー。
【００１５】
＜請求項６記載の発明＞
前記ルア一本体に該ルア一本体よりも硬質な部材からなる結び目止め孔形成部材が設けられ、この結び目止め孔形成部材に前記結び目止め孔が形成されてなることを特徴とする請求項１〜５のいずれか１項に記載のルア一。
【発明の効果】
【００１６】
本発明は次に列挙する効果が得られる。
【００１７】
＜請求項１記載の発明の効果＞
ラインを一本ライン形態で第１のライン通し孔から通し、または第２のライン通し孔から通し、結び目止め孔から出た部位に結び目を形成することにより、結び目は結び目止め孔によって止められ抜けない形態となる。
これによって、ルアー本体の前部側にライン出し口を形成している第２のライン通し孔から通した形態では、ラインに引かれ泳ぐルアーの泳ぎ形態は、引かれるラインに対して前側を向けたライン前向け泳ぎ形態となる。また、ルアー本体の上部側にライン出し口を形成している第１のライン通し孔から通した形態では、ラインに引かれ泳ぐルアーの泳ぎ形態は、引かれるラインに対して背を向けた背向け泳ぎ形態、または頭部上側を向けたライン頭部上側向け泳ぎ形態となる。
すなわち、本発明は、ラインを第１のライン通し孔に通し結び目を形成する、ラインを第２のライン通し孔に通し結び目を形成するという簡単な操作によって、ルアーの異なる種類の泳ぎ形態を選択できるという効果を奏する。
【００１８】
また、結び目から延びたラインに釣り針を取付けた使用形態も実現する。よって、異なる種類の泳ぎ形態の選択と釣り針の取り付け方の選択という組み合わせ形態が可能である。よって、従来では成し得ない多様な使用形態を可能としたルアーを実現している。
【００１９】
＜請求項２記載の発明の効果＞
このような形態としても、請求項１記載の発明と同様な効果を奏する。
【００２０】
＜請求項３記載の発明の効果＞
請求項１、２のいずれか１項に記載の発明と同様な効果を奏するとともに、ライン通し孔に通し壁に当たったラインは、当った壁面が傾斜面であるので、そこで突っかかることなく、スムーズに向きを変え押し進めて容易に素早く外に出すことができるという効果を奏する。
【００２１】
＜請求項４記載の発明の効果＞
ルアー本体の上部側にライン出し口を形成しているライン通し孔から通した形態では、ラインに引かれ泳ぐルアーの泳ぎ形態は、引かれるラインに対して背を向けた背向け泳ぎ形態となる。
すなわち、本発明は、ラインをライン通し孔に通し結び目を形成する、ラインを環部に取付けるという簡単な操作によって、ルアーの異なる種類の泳ぎ形態を選択できるという効果を奏する。
【００２２】
【００２３】
【００２４】
【００２５】
＜請求項５記載の発明の効果＞
請求項１、３のいずれか１項に記載の発明と同様な効果を奏するとともに、携帯ストラップのコードを非ループの１本コード形態で背部のライン出し口から通し、結び目を形成することで、ルアー飾りの携帯ストラップを簡単に作成することを可能にしているという効果を奏する。
【００２６】
＜請求項６記載の発明の効果＞
請求項１〜５のいずれか１項に記載の発明と同様な効果を奏するとともに、結び目止め孔形成部材に前記結び目止め孔によって、結び目が抜けない形態を実現するという効果を奏する。
また、強く引かれる結び目が食い込むような軟らかい素材をルアー本体に使用できるという効果を奏する。
【００２７】
特に結び目止め孔形成部材が真鍮製部材、ステンレス製部材、鉛製部材などの比重の重い金属製部材である場合は、錘として機能し、ルアーを遠くに投げるのに好適なものとすることができる。
【図面の簡単な説明】
【００２８】
【図１】本発明の実施例１の側面図および断面図。
【図２】本発明の実施例１の使用形態例を示す断面図。
【図３】本発明の実施例１の使用形態例を示す断面図。
【図４】本発明の実施例１の携帯ストラップとした使用形態例を示す断面図。
【図５】本発明の実施例２の使用形態例図。
【図６】本発明の実施例３の断面図。
【図７】本発明の実施例４を示す断面図および使用状態例を示す断面図。
【図８】本発明の実施例５の断面図。
【図９】本発明の実施例６の断面図。
【図１０】本発明の実施例７の使用形態例を示す断面図。
【図１１】本発明の実施例８の断面図。
【図１２】本発明の実施例９の使用状態例を示す断面図。
【図１３】本発明の実施例１０を示す断面図および使用状態例を示す断面図。
【図１４】本発明の実施例１０の使用状態例を示す断面図。
【図１５】本発明の実施例１１の断面図。
【図１６】本発明の実施例１２の断面図。
【図１７】本発明の実施例１２の携帯ストラップとした使用携帯例図。
【図１８】本発明の実施例１３の断面図。
【発明を実施するための形態】
【００２９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００３０】
図１〜図４に示す本発明の実施例１において、ルアー１は次に述べるような構成となっている。
硬質性合成樹脂製部材、金属製部材、木製部材などの硬質性部材からなるルアー本体２と、
このルアー本体２の上部側から下向きの後方側に傾斜した傾斜貫通孔形態で設けられた、非ループの一本ライン形態のライン２００（道糸）は通すが、二本合わせ形態での重ねライおよび前記一本ライン形態のライン２００の結び目２０１は通さない形態の結び目止め孔３を下方側に有する第１のライン通し孔４と、
ルアー本体２の前部側から略水平後方向きで第１のライン通し孔４に連通してなる第２のライン通し孔５と、とを備えてなる構成となっている。
【００３１】
傾斜形態の第１のライン通し孔４と略水平な第２のライン通し孔５との連通形態によって、第２のライン通し孔５から通したライン２００の先端が当たる、第１のライン通し孔４の壁面が傾斜面６であり、該傾斜面６によってライン２００の先端が容易に進行方向を下方に変え進ませることができる形態となっている。
【００３２】
第２のライン通し孔５の孔径は第１のライン通し孔４の孔径よりも大きな孔径となっている。
第１のライン通し孔４はその全長の孔径が結び目止め孔３の孔径と同じとする孔形態もよい。
ライン出し口５ａは口縁を湾曲形状にしていて、ライン２００が押し付けられこすられた時の負荷を分散するようにしている。ライン出し口４ａ、ライン出し口３ａについても同様な湾曲口形状にするのがよい。
【００３３】
ルアー本体２の前部にはライン２００が取付けられた猿環を係合する、あるいはライン２００を結びつける取付けリング７が設けられている。
符号１０はリップ１０である。
ルアー本体２の胴部表面には使用指定ラインの太さを示す号数の数字（ここでは「６」）が表記されている。
【００３４】
ルアー本体２の腹部の前方と後方にそれぞれ、リング取付け部８ａ、８ｂが設けられ、該リング取付け部８ａ、８ｂには釣り針２０２ａ、２０２ｂを着脱形態で取付けるためのスプリットリング９ａ、９ｂが設けられている。
【００３５】
胴部に表記されている指定の６号のライン２００を一本ライン形態で第１のライン通し孔４のライン出し口４ａから通し、または第２のライン通し孔５のライン出し口５ａから通し、結び目止め孔３のライン出し口３ａから出た部位に結び目２０１を形成することにより、結び目２０１は結び目止め孔３によって止められ抜けない形態となる。
これによって、ライン２００をルアー本体２の前部側にライン出し口５ａを形成している第２のライン通し孔５から通した形態（＝出した形態）では、ライン２００に引かれ泳ぐルアー１の泳ぎ形態は、引かれるライン２００に対して前側を向けたライン前向け泳ぎ形態となり、ルアー本体２の上部側にライン出し口４ａを形成している第１のライン通し孔４から通した形態では、ライン２００に引かれ泳ぐルアー１の泳ぎ形態は、引かれるライン２００に対して背を向けた背向け泳ぎ形態、または頭部上側を向けたライン頭部上側向け泳ぎ形態となる。
すなわち、ライン２００を第１のライン通し孔４に通し結び目２０１を形成する、ライン２００を第２のライン通し孔５に通しライン出し口３ａから出し、その出たライン部位に一回結びの結び目２０１を形成するという簡単な操作によって、ルアー１の異なる泳ぎ形態を選択できる。
【００３６】
また、ルアー本体２に釣り針２０２ａ、２０２ｂが取付けられた形態においては、魚が食付きルアー１が強く引かれた場合では、結び目２０１が結び目止め孔３によって止められるので、魚の引き負荷はルアー１にかかる形態となるものであり、そのような状態にでも、結び目２０１は結び目止め孔３によって止められ抜けることがない。
【００３７】
また、結び目３から下方に延びるライン２００部位に釣り針を付ける使用形態を可能としている。この使用形態にあっては、スプリットリング９ａ、９ｂに釣り針を付けないでの使用も可能とするものである。
【００３８】
図２の図（ａ）〜図（ｃ）、図３の図（ｄ）〜（ｇ）を参照しながらルアー１の使用形態例について説明する。
（１）図２の図（ａ）
ライン出し口４ａからライン２００を挿入し、ライン出し口３ａから出し、結び目２０１を作る。
スプリットリング９ａ、９ｂには釣り針２０２ａ、２０２ｂが取り付けられている。
このライン挿入形態では、ルアー１は上方に引かれるライン２００に対して背を向けた背向け姿勢で引かれて行く背向け泳ぎ形態となる。
【００３９】
（２）図２の図（ｂ）
ライン出し口５ａからライン２００を挿入し、推し進められたライン２００の先端は、傾斜面６に当たり、容易に傾斜方向に向きを変えて進ませることができ、、ライン出し口３ａから出し、結び目２０１を作る。
このライン挿入形態では、ルアー１は前方に引かれるライン２００に対して前を向けた前向き姿勢で引かれて行く前向け泳ぎ形態となる。
【００４０】
（３）図２の図（ｃ）
取付けリング７にライン２００を縛り付けた、一般的なルアーの使用形態である。
ライン２００に猿環を設け、該猿環を取付けリング７に取付ける使用形態もある。
【００４１】
（４）図２の図（ｄ）
取付けリング７にライン２００よりも高強度のライン２００ｃ（一般的にはライン２００より太い）を縛り付け、第１のライン通し孔４にライン２００ｂを通し、ライン出し口４ａから出ているライン部位に結び目２０１ａを作り、ライン出し口３ａから出ているライン部位に釣り針２０２を取付けた使用形態としている。
ここでは、釣り針２０２ａ、２０２ｂを取付けない使用形態としているが、いずれかまたは両方の釣り針を付けた使用形態としてもよい。
【００４２】
（５）図３の図（ｅ）
竿からのライン２００に結び目２０１ａを作り、該結び目２０１ａから延びるライン部位をライン出し口４ａから入れ第１のライン通し孔４に通し、ライン出し口３ａから出た部位に結び目２０１を作り、釣り針２０２を取付けている。
釣り針２０２ａは設けない形態としている。
【００４３】
（６）図３の図（ｆ）
竿からのライン２００に結び目２０１ａを作り、該結び目２０１ａから延びるライン部位をライン出し口５ａから入れ第２のライン通し孔５に通し、ライン出し口３ａから出た部位に結び目２０１を作り、釣り針２０２を取付けている。
釣り針２０２ｂは設けない形態としている。
【００４４】
（６）図３の図（ｇ）
ライン出し口３ａから出たライン部分に錘２０６を取付けている。
これによって、ルアーを遠くまで投げることが可能となる。また、泳ぎスタイルにも影響を与える。
錘２０６には、結び目止め孔３と同様の孔径の結び目止め孔２０６ｂが設けられている。
錘２０６は、ライン出し口５ａ側に設けることもでき、ライン出し口３ａおよびライン出し口５ａに設けることもできる。
錘の形態は球体に限定されるものではなく、円盤形態、円柱形態、四角形、五角形以上の多角形、楕円体など多様な形態がある。
【００４５】
ルアーの錘であって、錘本体と、この錘本体に設けられた、非ループの一本ライン形態のラインは通すが、二本合わせ形態での重ねライおよび前記一本ライン形態のラインの結び目は通さない形態の結び目止め孔と、とを備えたことを特徴とするルアー用錘。
【００４６】
図４において、ルアー１を携帯ストラップの飾りとしている使用形態を示している。
非ループの一本コード形態で結び目止め孔３は通るがその結び目２０３ａは通らない太さのコード２０３を、第１のライン通し孔４に通し、ライン出し口３ａから出ているコード部分委結び目２０３ａを作り、ライン出し口４ａから出ているコード部分を長くして、その先端にストッパー２０４を付けてなる携帯ストラップ２０５を形成している。
コードにはライン２００も含まれるものであることは言うまでもない。
また、ストッパー２０４を設けない形態、ストッパー２０４に変えて他のルアーを設けた形態とするのがよい。
【００４７】
以上述べたように、ルアー１は、ライン２００の取り付け部位ないし引き出し部位（以下「ライン取り付け部位」という。）が、取付けリング７、ライン出し口５ａ、ライン出し口４ａのそれぞれ異なる位置となる３か所のライン取り付け部位を有する形態である。
この３か所のライン取り付け部位の選択によって、ルアー１のルアー操作による泳ぎ形態も３種類となり、それを自由に選択できるものである。
また、釣り針の付け形態も容易に変えることが可能である。
よって、これらの組み合わせによって、多様な使用形態を可能としたルアーを実現している。
また、背部にライン出し口４ａを設けているので、そこからのコードの出しによって、ルアーを横向き形態に吊り下げることができ、ルアーが横向きで吊られた携帯ストラップを形成できる。
【００４８】
第２のライン通し孔５を設けない、第１のライン通し孔４と取付けリング７を備えた形態のルアーとするのもよい。
【実施例２】
【００４９】
図５に示す本発明の実施例２において、前記実施例１と主に異なる点は、第１のライン通し孔４を第１のライン通し孔１３にしたルアー１４を形成した点にある。
第１のライン通し孔１３は、第２のライン通し孔５と略同孔径で該第２のライン通し孔５と連通するライン案内部１５と、結び目止め孔３とからなっている。
ライン案孔１５と結び目止め孔３の間には傾斜形態の、ラインを結び目止め孔３に当たり無くスムーズに誘い込むための誘い込み部１６が形成されている。
符号１３ａはライン出し口１３ａである。
結び目止め孔３よりも孔径の大きい第１のライン通し孔１３と第２のライン通し孔５との連通か所に傾斜面６が形成されているので、ライン２００の曲がり動作許容範囲が広くなり、ライン２００の進行の向きを変えることが容易になる。
【実施例３】
【００５０】
図６に示す本発明の実施例３において、前記実施例１と主に異なる点は、第１のライン通し孔を第１のライン通し孔１９としてなるルアー２０を形成した点にある。
第１のライン通し孔１９は、第２のライン通し孔５が連通する該第２のライン通し孔５と同じ孔径のライン案内孔２１と、このライン案内孔２１と連絡する、非ループの一本形態のライン２００は通すが重ね形態のライン２００および非ループ一本形態のライン２００に形成した結び目は通さない孔形態の結び目止め孔２２とからなっている。
【００５１】
結び目止め孔２２は、ルアー本体２とは別体（別部材）である結び目止め孔形成部材２３に形成されている。
結び目止め孔２２とライン案内孔２１の間には、結び目止め孔形成部材２３側に開口をライン案内孔２１よりも大径とし、かつ、なだらかなテーパーを形成して結び目止め孔２２に連絡する誘い込み部２４が形成されている。
符号１９ａはライン出し口１９ａである。符号２２ａはライン出し口２２ａである。
結び目止め孔形成部材２３は、ルアー本体２よりも硬質な金属製部材、硬質性合成樹脂製部材などからなっていて、強い引きによっても結び目がライン出し口２２ａ内に潜り込むことがない。
また、リング取付け部８ａ、８ｂは設けていない。よって、ラインのライン出し口２２ａから出ている部位に釣針を付けた使用形態のみとなる。
【００５２】
特に結び目止め孔形成部材２３が真鍮製部材、ステンレス製部材、鉛製部材などの比重の重い金属製部材である場合は、錘として機能し、ルアーを遠くに投げるのに好適なものとなる。
【実施例４】
【００５３】
図７に示す本発明の実施例４において、ルアー２９は次に述べるような構成となっている。
ルアー本体３０と、
このルアー本体３０の前部側から後方向きの貫通孔形態で設けられた、非ループの一本ライン形態のライン２００は通すが、二本合わせ形態での重ねライおよび前記一本ライン形態のラインの結び目２０１は通さない形態の結び目止め孔３１を有する第１のライン通し孔３２と、
ルアー本体３０の上部側から下向きで第１のライン通し孔３２に傾斜形態で連通してなる第２のライン通し孔３３と、とを備えている。
第２のライン通し孔３３から挿入されたライン２００の先端が突き当たる第１のライン通し孔３２の面部位が傾斜面６となる。
符号３１ａはライン出し口３１ａ、符号３２ａはライン出し口３２ａ、符号３３ａはライン出し口３３ａである。
他の部位は実施例１と同様であるので説明を省略する。
【実施例５】
【００５４】
図８に示す本発明の実施例５において、前記実施例４と主に異なる点は、結び目止め孔を金属製部材からなる結び目止め孔形成部材３５に設けた結び目止め孔３６とし、第１のライン通し孔を第１のライン通し孔３８としたルアー３９を形成した点にある。符号３６ａはライン出し口３６ａ、符号３８ａはライン出し口３８ａである。
結び目止め孔形成部材３５は、ルアー３９を遠投するための、およびルアー３９を水深の深い位置で引き泳がせ操作するための錘として機能する。
【実施例６】
【００５５】
図９に示す本発明の実施例６において、前記実施例１と主に異なる点は、ルアー本体をルアー本体３０とし、第１のライン通し孔４を背側から腹側に向かう形態とし、第２のライン通し孔５を下向き傾斜形態とし、第１のライン通し孔４の下部に結び目収納凹み部４２を設け、結び目止め孔を結び目止め孔４３とし、結び目収納凹み４２内に結び目止め孔４３を設けた硬質製部材の結び目止め孔形成部材４４を設け、第１のライン通し孔４の後方に傾斜した第３のライン通し孔４５を設け、第３のライン通し孔４５の後方に該第３のライン通し孔４５とは反対向きに傾斜形態とした第４のライン通し孔４６を設けてなるルアー４７を形成した点にある。
符号４３ａはライン出し口４３ａ、符号４５ａはライン出し口４５ａ、符号４５ｂはライン出し口４５ｂ、符号４６ａはライン出し口４６ａ、符号４６ｂはライン出し口４６ｂである。
【００５６】
第３のライン通し孔４５、第４のライン通し孔４６には通し、作成した結び目で抜けなくしたライン２００に釣針や錘を付けた使用形態とすることができる。
【実施例７】
【００５７】
図１０に示す本発明の実施例７においてルアー４９は、ルアー本体２と、このルアー本体２の前部に設けられた取付けリング７と、ルアー本体２の前方から後方に貫通孔形態で設けられた、非ループの一本ライン形態のライン２００は通すが、二本合わせ形態での重ねライおよび前記一本ライン形態のライン２００の結び目２０１、２０１ｂは通さない形態の結び目止め孔形態であるライン通し孔５０と、ルアー本体２の後部に設けられたライン通し孔５０に連通された結び目を収納する凹み形態（溝形態ままた穴形態）の結び目収納部５１とからなっている。
ルアー本体２の腹部にリング取付け部８ａ、８ｂ、８ｃを設け、それにスプリットリング９ａ、９ｂ、９ｃを設けていて、釣り針を着脱できるようにしている。
【実施例８】
【００５８】
図１１に示す本発明の実施例８の上図において、前記実施例４と主に異なる点は、ルアー本体をルアー本体２とし、第１のライン通し孔３２の下方に該第１のライン通し孔３２と平行に設けられた第３のライン通し孔５５を設けてなるルアー５６を形成した点にある。
【００５９】
図１１に示す本発明の実施例８の下図において、前記ルアー５６と主に異なる点は、第２のライン通し孔３３の前方に該第２のライン通し孔３３と同様な孔形態の第４のライン通し孔５７を設けてなるルアー５８を形成した点にある。
符号６ａは傾斜面であり、傾斜面６と同様な機能である。
【実施例９】
【００６０】
図１２に示す本発明の実施例９において、ルアー６０は次に述べるような構成となっている。
ルアー本体３０と、このルアー本体３０の上部から下部に向けて貫通形態で設けられた、非ループの一本ライン形態のラインは通すが、二本合わせ形態での重ねライおよび前記一本ライン形態のラインの結び目は通さない形態の結び目止め孔６１を有するライン通し孔６２と、とを備えた形態となっている。
ライン通し孔６２の全体の孔径は結び目止め孔６１の孔径と同じとなっている。
符号６１ａはライン出し口６１ａ、符号６２ａはライン出し口６２ａである。
【実施例１０】
【００６１】
図１３、１４に示す本発明の実施例１０において、ルアー６６は次に述べるような構成となっている。
ルアー本体３０と、このルアー本体３０の下部に開口６７ａとした結び目収納部を兼ねた傾斜止り穴形態の凹み部６７と、ルアー本体の上部から凹み部６７に貫通された非ループの一本ライン形態のラインは通すが、二本合わせ形態での重ねライおよび前記一本ライン形態のラインの結び目は通さない形態の結び目止め孔６８を有する第１のライン通し孔６９と、
ルアー本体の前部から凹み部６７に貫通された非ループの一本ライン形態のラインは通すが、二本合わせ形態での重ねライおよび前記一本ライン形態のラインの結び目は通さない形態の結び目止め孔７０を有する第２のライン通し孔７１と、とを備えた形態である。
符号６８ａはライン出し口６８ａ、符号６９ａはライン出し口６９ａ、符号７０ａはライン出し口７０ａ、符号７１ａはライン出し口７１ａ、符号２０１ｂは結び目２０１ｂである。
【００６２】
図１４において、ライン出し口７１ａからライン２００が入れられ、開口６７ａの外に出された部位に結び目２０１ｂを作り、結び目２０１ｂから延びている部位を錘２０６の結び目止め孔２０６ｂに通し、結び目２０１を作り、ライン２００をライン出し口７１ａ側から引いて錘２０６を凹み部６７内に引き込む。
錘２０６は凹み部６７の内壁面に当たり押し込みは見込み形態で収納される。
【００６３】
凹み部は止り穴形態に限らず溝形態とするのもよい。
【実施例１１】
【００６４】
図１５に示す本発明の実施例１１において、前記実施例１０と主に異なる点は、凹み部を垂直止り穴形態の凹み部７４としてなるルアー７５を形成した点にある。
符号７４ａはライン出し口７４ａである。
【実施例１２】
【００６５】
図１６、図１７に示す本発明の実施例１２において、前記実施例１０と主に異なる点は、凹み部６７に変えて貫通した傾斜横穴形態の結び目収納孔７８を設けたルアー７９を形成した点にある。
結び目収納孔７８はライン出し口７１ａ、ライン出し口６９ａのいずれの孔に対しても傾斜孔である。よって、ライン出し口７１ａないしライン出し口６９ａから挿入したライン２００の先端は、結び目収納孔７８の傾斜対抗面にあたり、該傾斜対抗面が傾斜しているのでライン２００の先端はスムーズに下り傾斜側に曲げられ、結び目収納孔７８から外にスムーズに出る。
結び目収納孔７８の大きさは、収納された結び目２０１およびライン２００は該ライン２００が捩れると該捩れを解消するように回る大きさである。
【００６６】
図１７において、ストッパー２０４を取付けたコード２０３を第１のライン通し孔６９に通し結び目収納孔７８から外に出し、結び目２０３ａを形成し、余計なコード部分を切除して、結び目２０３ａを結び目収納孔７８内に引き込み携帯ストラップ２０５ａを形成している。
【実施例１３】
【００６７】
図１８に示す本発明の実施例１３において、前記実施例５と主に異なる点は、結び目止め孔形成部材を結び目止め孔形成部材８０としたルアー８１を形成した点にある。
金属製部材や硬質性樹脂部材などの硬質部材からなる結び目止め孔形成部材８０は、ルアー本体３０を前後に貫く硬質部材本体８２と、この硬質部材本体８２の上部に突出形態で設けられた、その上部をルアー本体３０の背部に露出した上部突出部８３と、硬質部材本体８２の前側下部に突出形態で設けられた、リング取付け部８ａを有する前下突出部８４ａと、硬質部材本体８２の後側下部に突出形態で設けられた、リング取付け部８ｂを有する後下突出部８４ａと、硬質部材本体８２を前後に貫通形態で設けられた第１のライン通し孔３８と、上部突出部８３に設けられた、第１のライン通し孔３８と連通してなる傾斜孔形態の第２のライン通し孔３３と、とからなっている。
【００６８】
結び目止め孔形成部材８０が強靭で結び目を潜り込ませない硬質部材である。
結び目止め孔形成部材８０はルアーの骨組みないし骨格となっているので、ルアー本体をシリコンゴム製部材などのゴム製部材、塩化ビニールなどの柔軟性の合成樹脂製部材などの柔軟性部材することを可能するものである。
【００６９】
［付記］
＜付記４記載の発明＞
ルアー本体と、
このルアー本体の前部側に設けられた、ラインを結びつけるまたは該ラインに取付けられた猿環等を連結するための環部と、
前記ルアー本体の上部側から下向きの貫通孔形態で設けられた、非ループの一本ライン形態のラインは通すが、二本合わせ形態での重ねライおよび前記一本ライン形態のラインの結び目は通さない孔形態の結び目止め孔を有するライン通し孔と、とを備えてなることを特徴とするルアーである。
ラインを一本ライン形態でライン通し孔から通し、出た部位に結び目を形成することにより、ラインは結び目止め孔によって止められ抜けない形態となる。
これによって、ルアー本体の前部側に設けた環部にラインを取付けた形態では、ラインに引かれ泳ぐルアーの泳ぎ形態は、引かれるラインに対して前側を向けたライン前向け泳ぎ形態となり、ルアー本体の上部側にライン出し口を形成しているライン通し孔から通した形態では、ラインに引かれ泳ぐルアーの泳ぎ形態は、引かれるラインに対して背を向けた背向け泳ぎ形態、または頭部上側を向けたライン頭部上側向け泳ぎ形態となる。
すなわち、本発明は、ラインをライン通し孔に通し結び目を形成する、ラインを環部に取付けるという簡単な操作によって、ルアーの異なる種類の泳ぎ形態を選択できるという効果を奏する。
また、結び目から延びたラインに釣り針を取付けた使用形態も実現するものである。
＜付記５記載の発明＞
ルアー本体と、
このルアー本体に貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第１のライン通し孔と、
前記ルアー本体に前記第１のライン通し孔とは異なる箇所に該第１のライン通し孔とは非交差形態の貫通孔形態で設けられた、非ループの一本ライン形態のラインは通すが、二本合わせ形態での重ねライおよび前記一本ライン形態のラインの結び目は通さない形態の結び目止め孔を有する、または前記ルアー本体とは別体である結び目止め孔形成部材に形成された前記結び目止め孔が連通された第２のライン通し孔と、とを備えてなることを特徴とするルアーである。
ラインを一本ライン形態で第１のライン通し孔から通し、または第２のライン通し孔から通し、出た部位に結び目を形成することにより、ラインは結び目止め孔によって止められ抜けない形態となる。
これによって、第１のライン通し孔から出ているラインによるルアーの第１の泳ぎ形態と、第１のライン通し孔のライン出口とは異なる箇所にある第２のライン通し孔のライン出口から出されたラインによるルアーの第２の泳ぎ形態とは、当然異なる泳ぎ形態になる。
すなわち、本発明は、ラインを第１のライン通し孔に通し結び目を形成する、ラインを第２のライン通し孔に通し結び目を形成するという簡単な操作によって、ルアーの異なる泳ぎ形態を選択できるという効果を奏する。
また、ルアー本体に釣り針が取付けられた形態においては、結び目は結び目止め孔によって止められるので、魚の負荷はルアーにかかる形態となるものである。
また、結び目から延びたラインに釣り針を取付けた使用形態も実現するものである。よって、異なる種類の泳ぎ形態の選択と釣り針の取り付け方の選択という組み合わせ形態が可能である。よって、従来では成し得ない多様な使用形態を可能としたルアーを実現している。
＜付記６記載の発明＞
前記第１のライン通し孔および前記第２のライン通し孔またはいずれか一方が、前記ルアー本体に形成された、前記結び目が収納される貫通孔形態、止り穴形態または溝形態の結び目収納部に連通され、該結び目収納部の形態が収納された前記結び目が容易に回ることができる形態であることを特徴とする付記５記載のルアー。
このような構成としても付記５記載の発明と同様な効果を奏するとともに、結び目収納部に結び目を収納隠すことができるという効果を奏する。
【産業上の利用可能性】
【００７０】
本発明は、釣り具を製造、販売する産業で利用される。
【符号の説明】
【００７１】
１：ルアー、
２：ルアー本体、
３：結び目止め孔、
３ａ：ライン出し口、
４：第１のライン通し孔、
４ａ：ライン出し口、
５：第２のライン通し孔、
５ａ：ライン出し口、
６、６ａ：傾斜面、
７：取付けリング、
８ａ、８ｂ：リング取付け部、
９ａ、９ｂ：スプリットリング、
１０：リップ、
１３：第１のライン通し孔、
１３ａ：ライン出し口、
１４：ルアー、
１５：ライン案孔、
１６：誘い込み部、
１９：第１のライン通し孔、
１９ａ：ライン出し口、
２０：ルアー、
２１：ライン案内孔、
２２：結び目止め孔、
２２ａ：ライン出し口、
２３：結び目止め孔形成部材、
２４：誘い込み部、
２９：ルアー、
３０：ルアー本体、
３１：結び目止め孔、
３１ａ：ライン出し口、
３２：第１のライン通し孔、
３２ａ：ライン出し口、
３３：第２のライン通し孔、
３３ａ：ライン出し口、
３５：結び目止め孔形成部材、
３６：結び目止め孔、
３６ａ：ライン出し口、
３８：第１のライン通し孔、
３８ａ：ライン出し口、
３９：ルアー、
４２：結び目収納凹み部、
４３：結び目止め孔、
４３ａ：ライン出し口、
４４：結び目止め孔形成部材、
４５：第３のライン通し孔、
４５ａ：ライン出し口、
４５ｂ：ライン出し口、
４６：第４のライン通し孔、
４６ａ：ライン出し口、
４６ｂ：ライン出し口、
４９：ルアー、
５０：イン通し孔、
５１：結び目収納部、
５５：第３のライン通し孔、
５６：ルアー、
５７：第４のライン通し孔５、
５８：ルアー、
６０：ルアー、
６１：結び目止め孔、
６１ａ：ライン出し口、
６２：ライン通し孔、
６２ａ：ライン出し口、
６６：ルアー、
６７：凹み部、
６７ａ：開口、
６８：結び目止め孔、
６８ａ：ライン出し口、
６９：第１のライン通し孔、
６９ａ：ライン出し口、
７０：結び目止め孔、
７０ａ：ライン出し口、
７１：第２のライン通し孔、
７１ａ：ライン出し口、
７４：凹み部、
７４ａ：ライン出し口、
７５：ルアー、
７８：結び目収納孔、
７９：ルアー、
８０：結び目止め孔形成部材、
８１：ルアー。
２００、２００ａ、２００ｂ：ライン、
２００ｃ：ライン、
２０１、２０１ａ、２０１ｂ：結び目、
２０２、２０２ａ、２０２ｂ、２０２ｃ：釣り針、
２０３：コード、
２０３ａ：結び目、
２０４：ストッパー、
２０５、２０５ａ：携帯ストラップ、
２０６：錘、
２０６ｂ：結び目止め孔。
【手続補正書】
【提出日】平成28年9月25日(2016.9.25)
【手続補正１】
【補正対象書類名】特許請求の範囲
【補正対象項目名】全文
【補正方法】変更
【補正の内容】
【特許請求の範囲】
【請求項１】
ルア一本体と、
このルア一本体の上部側から下向きの貫通孔形態で設けられた、非ル−プの一本形態のラインは通すが、二本合わせ形態のラインおよび前記一本形態のラインの結び目は通さない形態の結び目止め孔（３）を有する、前記ルア一本体とは別体である結び目止め孔形成部材（２３）、（４４）に形成された結び目止め孔（２２）、（４３ａ）が連通された又は孔全体が結び目止め孔である第１のライン通し孔（４）、（１３）、（１９）と、
前記ルア一本体の前部側から後方向きで前記第１のライン通し孔（４）、（１３）、（１９）に非貫通形態で連通してなる第２のライン通し孔（５）と、とを備えてなることを特徴とするルア一。
【請求項２】
ルア一本体と、
このルア一本体の前部側から後方向きの貫通孔形態で設けられた、非ル−プの一本形態のラインは通すが、二本合わせ形態のラインおよび前記一本形態のラインの結び目は通さない形態の結び目止め孔（３）を有する、前記ルア一本体とは別体である結び目止め孔形成部材（２３）、（４４）に形成された結び目止め孔（２２）、（４３ａ）が連通された又は孔全体が結び目止め孔である第１のライン通し孔（３２）、（３８）と、
前記ルア一本体の上部側から下向きで前記第１のライン通し孔（３２）、（３８）に非貫通形態で連通してなる第２のライン通し孔（３３）と、とを備えてなることを特徴とするルア一。
【請求項３】
前記第２のライン通し孔（３３）のライン出し口（３３ａ）、が前記ルア一本体の背部に設けられてなるとともに、
前記ライン出し口（３３ａ）から出たラインが上方に引かれる状態では、前記ルアー本体は該ラインに対して背を向けた姿勢となることを特徴とする請求項２記載のルア一。
【請求項４】
第１のライン通し孔（４）、（１３）、（１９）のライン出し口（４ａ）、（１３ａ）、（１９ａ）が前記ルア一本体の背部に設けられてなるとともに、
前記ライン出し口（４ａ）、（１３ａ）、（１９ａ）から出たラインが上方に引かれる状態では、前記ルアー本体は該ラインに対して背を向けた姿勢となることを特徴とする請求項１記載のルアー。
【請求項５】
前記第１のライン通し孔（４）、（１３）、（１９）、（３２）、（３８）または前記第２のライン通し孔（５）、（３３）から通したラインの先端が当たる、前記第１のライン通し孔（４）、（１３）、（１９）、（３２）、（３８）または前記第２のライン通し孔（５）、（３３）の壁面が傾斜面であり、該傾斜面によって前記ラインの前記先端が容易に進行方向を変え進むことができるようにしたことを特徴とする請求項１〜４のいずれか１項に記載のルア一。
【請求項６】
前記ルア一本体に該ルア一本体よりも硬質な部材からなる結び目止め孔形成部材が設けられ、この結び目止め孔形成部材に前記結び目止め孔が形成されてなることを特徴とする請求項１〜５のいずれか１項に記載のルア一。
【手続補正２】
【補正対象書類名】明細書
【補正対象項目名】００１０
【補正方法】変更
【補正の内容】
【００１０】
＜請求項３記載の発明＞
前記第２のライン通し孔（３３）のライン出し口（３３ａ）、が前記ルア一本体の背部に設けられてなるとともに、
前記ライン出し口（３３ａ）から出たラインが上方に引かれる状態では、前記ルアー本体は該ラインに対して背を向けた姿勢となることを特徴とする請求項２記載のルア一である。
【手続補正３】
【補正対象書類名】明細書
【補正対象項目名】００１１
【補正方法】変更
【補正の内容】
【００１１】
＜請求項４記載の発明＞
第１のライン通し孔（４）、（１３）、（１９）のライン出し口（４ａ）、（１３ａ）、（１９ａ）が前記ルア一本体の背部に設けられてなるとともに、
前記ライン出し口（４ａ）、（１３ａ）、（１９ａ）から出たラインが上方に引かれる状態では、前記ルアー本体は該ラインに対して背を向けた姿勢となることを特徴とする請求項１記載のルアーである。
【手続補正４】
【補正対象書類名】明細書
【補正対象項目名】００１４
【補正方法】変更
【補正の内容】
【００１４】
＜請求項５記載の発明＞
前記第１のライン通し孔（４）、（１３）、（１９）、（３２）、（３８）または前記第２のライン通し孔（５）、（３３）から通したラインの先端が当たる、前記第１のライン通し孔（４）、（１３）、（１９）、（３２）、（３８）または前記第２のライン通し孔（５）、（３３）の壁面が傾斜面であり、該傾斜面によって前記ラインの前記先端が容易に進行方向を変え進むことができるようにしたことを特徴とする請求項１〜４のいずれか１項に記載のルア一である。
【手続補正５】
【補正対象書類名】明細書
【補正対象項目名】００２０
【補正方法】変更
【補正の内容】
【００２０】
＜請求項３記載の発明の効果＞
ルアー本体の上部側にライン出し口を形成しているライン通し孔から通した形態では、ラインに引かれ泳ぐルアーの泳ぎ形態は、引かれるラインに対して背を向けた背向け泳ぎ形態となる。
すなわち、本発明は、ラインをライン通し孔に通し結び目を形成する、ラインを環部に取付けるという簡単な操作によって、ルアーの異なる種類の泳ぎ形態を選択できるという効果を奏する。
【手続補正６】
【補正対象書類名】明細書
【補正対象項目名】００２１
【補正方法】変更
【補正の内容】
【００２１】
＜請求項４記載の発明の効果＞
請求項１に記載の発明と同様な効果を奏するとともに、携帯ストラップのコードを非ループの１本コード形態で背部のライン出し口から通し、結び目を形成することで、ルアー飾りの携帯ストラップを簡単に作成することを可能にしているという効果を奏する。
【手続補正７】
【補正対象書類名】明細書
【補正対象項目名】００２５
【補正方法】変更
【補正の内容】
【００２５】
＜請求項５記載の発明の効果＞
請求項１〜４のいずれか１項に記載の発明と同様な効果を奏するとともに、ライン通し孔に通し壁に当たったラインは、当った壁面が傾斜面であるので、そこで突っかかることなく、スムーズに向きを変え押し進めて容易に素早く外に出すことができるという効果を奏する。